(57)【要約】      （修正有）【課題】コンテンツの利用者に対して動画コンテンツと共にコンテンツの詳細を示す情報を提供する。【解決手段】情報提供装置は、それぞれ異なる情報を示す複数の参照コンテンツが配置された第１コンテンツを提供する提供部と、利用者がいずれかの参照コンテンツを選択した場合は、当該参照コンテンツが示すコンテンツの詳細を示す情報を含む第２コンテンツを、前記第１コンテンツと同じドメインのコンテンツとして配信する配信部とを有することを特徴とする。【選択図】図３
2020088582.tif 000002
【特許請求の範囲】
【請求項１】
それぞれ異なる情報を示す複数の参照コンテンツが配置された第１コンテンツを提供する提供部と、
利用者がいずれかの参照コンテンツを選択した場合は、当該参照コンテンツが示すコンテンツの詳細を示す情報を含む第２コンテンツを、前記第１コンテンツと同じドメインのコンテンツとして配信する配信部と
を有することを特徴とする提供装置。
【請求項２】
前記配信部は、前記利用者が動画像に関する参照コンテンツを選択した場合は、当該参照コンテンツが示す動画像と、当該動画像の詳細を示すテキストとを含む第２コンテンツを配信する
ことを特徴とする請求項１に記載の提供装置。
【請求項３】
前記提供部は、提供先となる端末装置が表示した際に再生を開始する動画像を含む参照コンテンツが配置された第１コンテンツを提供し、
前記配信部は、前記動画像を含む参照コンテンツが選択された場合は、当該動画像と、当該動画像の詳細を示すテキストとを含む第２コンテンツを配信する
ことを特徴とする請求項１または２に記載の提供装置。
【請求項４】
前記配信部は、前記利用者が前記参照コンテンツを選択する前に前記端末装置が再生した再生位置から前記動画像の再生を開始させる指示とともに第２コンテンツを配信する
ことを特徴とする請求項３に記載の提供装置。
【請求項５】
前記配信部は、前記動画像と所定の関連性を有する動画像であって、前記第１コンテンツと同じドメインのコンテンツを介して提供される動画像を示す情報をさらに含む第２コンテンツを配信する
ことを特徴とする請求項２〜４のうちいずれか１つに記載の提供装置。
【請求項６】
前記配信部は、前記動画像と所定の関係性を有する情報であって、前記第１コンテンツと同じドメインのコンテンツを示す情報をさらに含む第２コンテンツを配信する
ことを特徴とする請求項２〜５のうちいずれか１つに記載の提供装置。
【請求項７】
前記配信部は、前記動画像と所定の関係性を有する情報であって、前記第１コンテンツと同じドメインのコンテンツを示す参照コンテンツをさらに含む第２コンテンツを配信する
ことを特徴とする請求項２〜６のうちいずれか１つに記載の提供装置。
【請求項８】
前記配信部は、前記動画像と所定の関係性を有する取引対象を購入するための購入コンテンツへのリンクが設定された情報をさらに含む第２コンテンツを配信する
ことを特徴とする請求項２〜７のうちいずれか１つに記載の提供装置。
【請求項９】
前記配信部は、前記第１コンテンツとは異なるドメインから前記動画像を取得して表示させるための指示とともに前記第２コンテンツを配信する
ことを特徴とする請求項２〜８のうちいずれか１つに記載の提供装置。
【請求項１０】
前記利用者がいずれかの参照コンテンツを選択した場合は、選択された参照コンテンツが示す動画像の取得先と当該動画像の詳細を示す情報とを用いて、前記第１コンテンツと関連するレイアウトを有する第２コンテンツを生成する生成部
を有することを特徴とする請求項９に記載の提供装置。
【請求項１１】
前記提供部は、前記第１コンテンツとして、利用者から検索クエリを受付けるための検索コンテンツをさらに含む第１コンテンツを提供し、
前記配信部は、前記第２コンテンツとして、前記第１コンテンツと同じ前記検索コンテンツをさらに含む第２コンテンツを配信する
ことを特徴とする請求項１〜１０のうちいずれか１つに記載の提供装置。
【請求項１２】
前記提供部は、前記第１コンテンツとして、前記第１コンテンツと同じドメインへのリンクが設定された参照コンテンツが配置されたコンテンツを提供し、
前記配信部は、前記第１コンテンツと同じドメインへのリンクが設定された参照コンテンツが選択された場合は、当該参照コンテンツが示すコンテンツの詳細を示す情報を含む第２コンテンツを配信する
ことを特徴とする請求項１〜１１のうちいずれか１つに記載の提供装置。
【請求項１３】
前記配信部は、前記第２コンテンツとして、前記第１コンテンツと同じドメインのうち、当該第１コンテンツが属する階層の下位の階層に属するコンテンツを配信する
ことを特徴とする請求項１〜１２のうちいずれか１つに記載の提供装置。
【請求項１４】
提供装置が実行する提供方法であって、
それぞれ異なる情報を示す複数の参照コンテンツが配置された第１コンテンツを提供する提供工程と、
利用者がいずれかの参照コンテンツを選択した場合は、当該参照コンテンツが示すコンテンツの詳細を示す情報を含む第２コンテンツを、前記第１コンテンツと同じドメインのコンテンツとして配信する配信工程と
を含むことを特徴とする提供方法。
【請求項１５】
それぞれ異なる情報を示す複数の参照コンテンツが配置された第１コンテンツを提供する提供手順と、
利用者がいずれかの参照コンテンツを選択した場合は、当該参照コンテンツが示すコンテンツの詳細を示す情報を含む第２コンテンツを、前記第１コンテンツと同じドメインのコンテンツとして配信する配信手順と
をコンピュータに実行させるための提供プログラム。
【請求項１６】
それぞれ異なる情報を示す複数の参照コンテンツが配置された第１コンテンツを表示する第１表示手順と、
利用者がいずれかの参照コンテンツを選択した場合は、当該参照コンテンツが示すコンテンツの詳細を示す情報を含むコンテンツであって、前記第１コンテンツと同じドメインの第２コンテンツを表示する第２表示手順と
をコンピュータに実行させるための情報表示プログラム。
【請求項１７】
それぞれ異なる情報を示す複数の参照コンテンツが配置された第１コンテンツを表示する第１表示部と、
利用者がいずれかの参照コンテンツを選択した場合は、当該参照コンテンツが示すコンテンツの詳細を示す情報を含むコンテンツであって、前記第１コンテンツと同じドメインの第２コンテンツを表示する第２表示部と
を有することを特徴とする情報表示装置。
【請求項１８】
情報表示装置が実行する情報表示方法であって、
それぞれ異なる情報を示す複数の参照コンテンツが配置された第１コンテンツを表示する第１表示工程と、
利用者がいずれかの参照コンテンツを選択した場合は、当該参照コンテンツが示すコンテンツの詳細を示す情報を含むコンテンツであって、前記第１コンテンツと同じドメインの第２コンテンツを表示する第２表示工程と
を含むことを特徴とする情報表示方法。
【発明の詳細な説明】
【技術分野】
【０００１】
本発明は、提供装置、提供方法、提供プログラム、情報表示プログラム、情報表示装置および情報表示方法に関する。
【背景技術】
【０００２】
近年、通信ネットワークの発達とともに、様々なサービスがネットワークを介して提供されている。このような技術の一例として、ニュースや動画像等といった各種のコンテンツの概要を示すサムネイルを複数並べたタイムライン形式で提供し、利用者が選択したサムネイルと対応するコンテンツを配信する技術が知られている。また、タイムライン形式で提供されたサムネイルが選択された際に、選択されたサムネイルと対応するコンテンツをタイムライン上に挿入して表示する技術が知られている。
【先行技術文献】
【特許文献】
【０００３】
【特許文献１】特開２０１４−１８２５７２号公報
【発明の概要】
【発明が解決しようとする課題】
【０００４】
しかしながら、上述した従来技術では、利用者に対して適切なコンテンツを提供しているとは言えない場合がある。
【０００５】
例えば、上述した技術では、利用者がサムネイルを選択した場合に、画面をタイムライン表示から対応するコンテンツへと遷移させる。このため、タイムラインの提供者と遷移先のコンテンツの提供者とが異なる場合に、情報を提供する態様が変化してしまい、利用者に違和感を与えしまう恐れがある。
【０００６】
本願は、上記に鑑みてなされたものであって、利用者に対して適切なコンテンツを提供することを目的とする。
【課題を解決するための手段】
【０００７】
本願に係る提供装置は、それぞれ異なる情報を示す複数の参照コンテンツが配置された第１コンテンツを提供する提供部と、利用者がいずれかの参照コンテンツを選択した場合は、当該参照コンテンツが示すコンテンツの詳細を示す情報を含む第２コンテンツを、前記第１コンテンツと同じドメインのコンテンツとして配信する配信部とを有することを特徴とする。
【発明の効果】
【０００８】
実施形態の一態様によれば、利用者に対して適切なコンテンツを提供することができる。
【図面の簡単な説明】
【０００９】
【図１】図１は、実施形態に係る情報提供装置の一例を示す図である。
【図２】図２は、実施形態に係る情報提供装置が配信するコンテンツのレイアウトの一例を示す図である。
【図３】図３は、実施形態に係る情報提供装置の構成例を示す図である。
【図４】図４は、実施形態に係る中間情報データベースの一例を示す図である。
【図５】図５は、実施形態に係る参照情報データベースの一例を示す図である。
【図６】図６は、実施形態に係る情報提供装置の構成例を示す図である。
【図７】図７は、実施形態に係る提供処理の流れの一例を示すフローチャートである。
【図８】図８は、ハードウェア構成の一例を示す図である。
【発明を実施するための形態】
【００１０】
以下に、本願に係る提供装置、提供方法、提供プログラム、情報表示プログラム、情報表示装置および情報表示方法を実施するための形態（以下、「実施形態」と記載する。）について図面を参照しつつ詳細に説明する。なお、この実施形態により本願に係る提供装置、提供方法、提供プログラム、情報表示プログラム、情報表示装置および情報表示方法が限定されるものではない。また、以下の各実施形態において同一の部位には同一の符号を付し、重複する説明は省略する。
【００１１】
[実施形態]
〔１−１．情報提供装置の一例について〕
まず、図１を用いて、実施形態に係る提供装置の一例である情報提供装置１０の一例について説明する。図１は、実施形態に係る情報提供装置の一例を示す図である。図１では、提供装置の一例である情報提供装置１０によって実行される提供処理の一例として、所定のドメインに属するコンテンツを利用者に回遊させるための第１コンテンツおよび第２コンテンツを提供する処理の一例について記載した。また、以下の説明では、第１コンテンツとして、所謂ポータルサイトと呼ばれるウェブコンテンツを提供する処理の一例について記載するが、実施形態は、これに限定されるものではない。
【００１２】
図１に示す情報提供装置１０は、提供処理を行う情報処理装置であり、例えば、サーバ装置やクラウドシステム等により実現される。例えば、情報提供装置１０は、４Ｇ（Generation）、５Ｇ、ＬＴＥ（Long  Term  Evolution）、Ｗｉｆｉ（登録商標）若しくは無線ＬＡＮ（Local  Area  Network）等といった各種の無線通信網若しくは各種の有線通信網といったネットワークＮ（例えば、図３参照）を介して、利用者が使用する利用者端末１００に対し、第１コンテンツや第２コンテンツを配信する。より具体的には、情報提供装置１０は、ウェブコンテンツの配信サービスを実現する情報処理装置であり、ウェブコンテンツの配信サービスと対応する所定のドメインを用いて第１コンテンツや第２コンテンツの配信を行う。
【００１３】
利用者端末１００は、ＰＣ（Personal  Computer）、サーバ装置、スマートテレビジョン、スマートフォン若しくはタブレット等といったスマートデバイス等により実現され、ネットワークＮを介して、情報提供装置１０や、動画配信サーバ２００との間で通信を行うことができる携帯端末装置である。また、利用者端末１００は、液晶ディスプレイ等の画面であって、タッチパネルの機能を有する画面を有し、利用者から指やスタイラス等によりタップ操作、スライド操作、スクロール操作等、情報提供装置１０から配信されるコンテンツに対する各種の操作を受付ける。
【００１４】
なお、以下の説明では、利用者端末１００が有する画面は、長方形の画面を有し、画面が縦長となる様に利用される例について説明するが、実施形態は、これに限定されるものではない。例えば、利用者端末１００は、画面が横長となるように利用されてもよい。また、利用者端末１００は、正方形等、任意の形状を有する画面を有していてもよく、また、折り畳み式の画面を有していてもよい。情報提供装置１０は、同一ドメインのコンテンツを試聴し続けるよう利用者を誘導するように、利用者端末１００の利用態様に応じたレイアウトのコンテンツを配信すればよい。例えば、情報提供装置１０は、利用者端末１００から、端末装置の識別子や画面の向きを示す情報を取得し、取得した情報に応じたレイアウトのコンテンツを配信すればよい。また、情報提供装置１０は、画面の向きに応じてレイアウトを変化させるよう利用者端末１００を制御させる制御情報を含むコンテンツを配信してもよい。このような制御情報は、例えば、コンテンツと共にＪａｖａ  Ｓｃｒｉｐｔ（登録商標）やＣＳＳ（Cascading  Style  Sheets）を配信することで、実現可能である。
【００１５】
動画配信サーバ２００は、動画像の配信サービスを提供する情報処理装置であり、サーバ装置やクラウドシステム等により実現される。例えば、動画配信サーバ２００は、動画配信サービスと対応するドメインのウェブコンテンツであって、各種の動画像や他の動画像へのリンク、動画像の説明などを含むウェブコンテンツの配信を行う。より具体的には、動画配信サーバ２００は、動画配信サービスと対応するレイアウトで動画像等の各種の情報が配置された動画コンテンツを配信する。
【００１６】
〔１−２．情報提供装置が配信する第１コンテンツの一例について〕
ここで、情報提供装置１０が配信する第１コンテンツについて説明する。第１コンテンツは、例えば、ニュース、天気予報、受信メールのインデックスや内容、フォトビュワー、その他各種のコンテンツが配置されたウェブページであり、ＨＴＭＬ（Hyper  Text  Markup  Language）やＸＭＬ（Extensible  Markup  Language）等で記述された、いわゆるポータルサイトのウェブページである。  
【００１７】
例えば、第１コンテンツは、ニュース、天気予報、受信メールのインデックスや内容、フォトビュワー、その他各種のコンテンツが独立したタイル状に配置されたコンテンツであり、タイル状に配置されたコンテンツごとに操作や更新等を行うことができるコンテンツである。また、第１コンテンツには、広告に関連するコンテンツが配置されたタイルが随時挿入される。なお、第１コンテンツに配置される各タイルの大きさ、配置位置、配置されるタイルの数は、タイルごとに自動で変更されてもよく、利用者の操作に応じて変更されてもよい。また、第１コンテンツには、検索キーワードを入力するための入力欄や、他のウェブページへのリンク等が含まれている。
【００１８】
また、第１コンテンツは、スマートデバイス用に最適化されたウェブページであり、横方向の表示サイズが、利用者端末１００が有する画面の横方向の表示サイズと同じウェブページであるものとする。また、第１コンテンツは、縦方向の表示サイズが、利用者端末１００が有する出力部１３０（例えば、図６参照）の縦方向の表示サイズよりも長い（以下、縦長と記載する。）ウェブページであり、利用者端末１００の利用者の属性、利用者が選択したタイルに配置されたコンテンツの内容、入力した検索キーワード等により、タイルに配置されるコンテンツの内容や順序が変更されるものとする。  
【００１９】
例えば、利用者端末１００は、第１コンテンツの配信を行う情報提供装置１０に対して、ＵＲＬ（Uniform  Resource  Locator）等を送信する。このような場合、情報提供装置１０は、第１コンテンツの配信を行う。なお、第１コンテンツには、各種の広告に係るコンテンツ（以下、広告コンテンツと記載する。）が含まれていてもよい。
【００２０】
ここで、広告コンテンツとは、営利若しくは非営利の広告だけではなく、ボランティアの募集、公共広告、公共に対する通知、第１コンテンツにかかる情報の一部、その他任意のコンテンツであるものとする。すなわち、広告コンテンツは、いわゆる広告関連の情報を含むコンテンツのみならず、利用者に興味を抱かせ、広告コンテンツに含まれる情報、または、広告コンテンツと関連するコンテンツ（例えば、ランディングページ等）に含まれる情報を広く報知するものであれば、画像、動画像、文字、図形、記号、ハイパーリンク、その他任意のコンテンツを適用可能である。すなわち、利用者に対して第１コンテンツよりも興味を生じさせようとするコンテンツであれば、任意のコンテンツを広告コンテンツとして適用可能である。
【００２１】
〔１−３．従来の動画配信の一例について〕
従来、情報提供装置１０が配信する第１コンテンツを介し、動画配信サーバ２００が配信する動画像へ利用者を誘導する技術が知られている。例えば、情報提供装置１０は、動画配信サーバ２００から配信対象となる動画像のサムネイルを取得し、取得したサムネイルを含むタイルを利用者端末１００へと配信する。このような場合、利用者端末１００は、動画像のサムネイルを含むタイルを第１コンテンツ内に配置する。そして、利用者端末１００は、利用者のスクロール操作により動画像のサムネイルを含むタイルが画面上に表示された場合は、サムネイルの再生を自動的に解する。また、利用者端末１００は、利用者がサムネイルを選択した場合は、動画配信サーバ２００からサムネイルと対応する動画像を取得し、取得した動画像を画面全体に表示し、再生を開始する。
【００２２】
また、他の従来例では、情報提供装置１０は、サムネイルを含むタイルに対し、サムネイル対応する動画像が配置された動画コンテンツのリンクを設定し、タイルを利用者端末１００へと配信する。このような場合、利用者端末１００は、利用者がタイルを選択した場合は、動画配信サーバ２００から動画コンテンツを取得し、取得した動画コンテンツを表示する。
【００２３】
〔１−４．提供処理について〕
しかしながら、上述した従来技術では、利用者に対して適切なコンテンツを提供しているとは言えない場合があった。
【００２４】
例えば、動画像を画面全体に表示した場合、動画像を閲覧することはできるものの、その動画像がどのような内容であるのかを識別するには、動画像を閲覧し続ける必要がある。一方で、動画配信サーバ２００が配信する動画コンテンツを提供した場合、画面上のコンテンツが情報配信サービスのコンテンツから動画配信サービスのコンテンツに変化するため、レイアウト等の統一感を保持することができず、利用者に違和感を与えてしまう恐れがある。また、上述した従来技術では、動画コンテンツが情報配信サービスとは個別に配信されるため、情報配信サービス側が意図する情報の質等を保持することができない恐れがある。
【００２５】
そこで、情報提供装置１０は、以下の提供処理を実行する。まず、情報提供装置１０は、それぞれ異なる情報を示す複数の参照コンテンツ（すなわち、タイル）が配置された第１コンテンツを提供する。そして、情報提供装置１０は、利用者がいずれかの参照コンテンツを選択した場合は、参照コンテンツが示すコンテンツの詳細を示す情報を含む第２コンテンツを、第１コンテンツと同じドメインのコンテンツとして配信する。
【００２６】
例えば、情報提供装置１０は、利用者端末１００が表示した際に再生を開始する動画像を含む参照コンテンツが配置された第１コンテンツを提供する。そして、情報提供装置１０は、動画像を含む参照コンテンツが選択された場合は、動画像と、動画像の詳細を示すテキストとを含む第２コンテンツを配信する。より具体的には、情報提供装置１０は、利用者が動画像に関する参照コンテンツを選択した場合は、参照コンテンツが示す動画像と、動画像の詳細を示すテキストとを含む第２コンテンツを、第１コンテンツと同じドメインのコンテンツとして配信する。
【００２７】
すなわち、情報提供装置１０は、利用者が動画像のサムネイルを含むタイル、すなわち、動画配信サービスにおいて配信される動画像を示すタイルを選択した場合は、動画配信サービスにおいて配信される動画コンテンツを配信するのではなく、動画像に関する各種の情報を含むコンテンツであって、情報提供サービスに関するコンテンツである第２コンテンツを配信する。より具体的には、情報提供装置１０は、第２コンテンツとして、第１コンテンツと同じドメインのうち、第１コンテンツが属する階層の下位の階層に属するコンテンツを配信する。
【００２８】
このような処理の結果、情報提供装置１０は、動画像に興味を有した利用者に対し、動画像と、動画の情報とを含むコンテンツを、情報配信サービス上で提供する。このような処理をの結果、情報提供装置１０は、情報提供態様を第１コンテンツと合わせた状態で、動画像や動画像に関する情報を示す第２コンテンツを利用者に提示することができるので、情報提供態様の変化を軽減する結果、利用者に対し、適切なコンテンツを提供することができる。また、情報提供装置１０は、第１コンテンツと同じドメインで第２コンテンツを配信するので、第２コンテンツを介して提供される情報の質を保持することができる。
【００２９】
〔１−５．提供処理の一例について〕
以下、図１を用いて、情報提供装置１０が実行する提供処理の一例について説明する。まず、情報提供装置１０は、動画配信サーバ２００から、参照コンテンツや第２コンテンツを配信するために用いる中間情報の登録を受付ける（ステップＳ１）。例えば、情報提供装置１０は、「参照コンテンツＩＤ（Identifier）」、「参照コンテンツ」、「動画像ＵＲＬ」、「動画情報」、「説明情報」、および「シリーズＩＤ」を対応付けた情報を中間情報として受付ける。
【００３０】
ここで、「参照コンテンツＩＤ」とは、参照コンテンツを識別するための識別子である。なお、「参照コンテンツＩＤ」は、情報提供装置１０が各参照コンテンツに対して一意の値を付与してもよい。また、「参照コンテンツ」は、タイルとして表示されるコンテンツであり、例えば、動画像のサムネイルや各種のテキスト等である。また、「動画像ＵＲＬ」は、動画像を取得するためのＵＲＬであり、例えば、動画配信サーバ２００から動画像のデータを取得するための情報である。また、「動画情報」とは、動画像に関する情報であり、例えば、動画像のタイトル、動画像の配信日等である。また、「説明情報」とは、例えば、動画像に関連するストリーの説明、配信期間、製作者、コピーライト等を示す情報である。また、「シリーズＩＤ」とは、動画像が属するシリーズを識別するための識別子である。
【００３１】
続いて、情報提供装置１０は、利用者端末１００から第１コンテンツの配信要求を受付ける（ステップＳ２）。このような場合、情報提供装置１０は、参照コンテンツをタイムライン形式で示す第１コンテンツを生成する（ステップＳ３）。例えば、情報提供装置１０は、中間情報を用いて、参照コンテンツＩＤ「ＳＩＤ＃１」が示す参照コンテンツ「参照コンテンツ＃１」を取得する。例えば、情報提供装置１０は、参照コンテンツ「参照コンテンツ＃１」として、動画像のサムネイルを含む参照コンテンツを生成する。また、情報提供装置１０は、他にも、各種のニュースや電子商店街に出品された取引対象を示す参照コンテンツ等を生成する。
【００３２】
そして、情報提供装置１０は、参照コンテンツを並べた第１コンテンツを生成し、生成した第１コンテンツを利用者端末１００へと配信する（ステップＳ４）。例えば、情報提供装置１０は、情報配信サービスを示すＵＲＬ、すなわち、情報配信サービスと対応するドメインのコンテンツとして、第１コンテンツを配信する。なお、情報提供装置１０は、利用者のデモグラフィック属性やサイコグラフィック属性と対応する参照コンテンツを優先的に配信してもよく、所定の広告料が設定された参照コンテンツを優先的に配信してもよい。
【００３３】
このような場合、利用者端末１００は、配信された第１コンテンツを表示する。そして、例えば、利用者端末１００は、動画像に関する参照コンテンツが選択された場合は（ステップＳ５）、選択された参照コンテンツを情報提供装置１０に通知する（ステップＳ６）。例えば、情報提供装置１０は、動画像に関する参照コンテンツに対し、第１コンテンツと同じドメインのＵＲＬであって、第１コンテンツの下位に属するドメインのＵＲＬであり、かつ、動画像を示す情報（例えば、動画像の識別子）を含むＵＲＬへのリンクを設定しておく。
【００３４】
すなわち、情報提供装置１０は、動画像に関する参照コンテンツに対し、その動画像を閲覧するためのコンテンツであって、第１コンテンツと同じドメインに属する第２コンテンツへのリンクを設定する。このような場合、利用者端末１００は、動画像に関する参照コンテンツを選択した場合、選択された参照コンテンツと対応する動画像を閲覧するための第２コンテンツの配信要求を情報提供装置１０に対して送信することとなる。
【００３５】
続いて、情報提供装置１０は、選択された参照コンテンツと対応する動画像を閲覧するためのコンテンツであって、動画像に関する詳細情報を配置した第２コンテンツを中間情報から生成する（ステップＳ７）。例えば、情報提供装置１０は、動画像を再生するための再生領域、動画情報を配置するための情報領域、動画像の説明を配置するための説明領域、同じシリーズの動画像を示す情報を配置するためのシリーズ領域等を含む第２コンテンツを生成する。また、情報提供装置１０は、参照コンテンツと対応する動画像のデータ、すなわち、サムネイルと対応する動画像のデータを動画配信サーバ２００から取得して、再生領域内に表示させるための制御情報を生成し、生成した制御情報を第２コンテンツに対して設定する。
【００３６】
例えば、情報提供装置１０は、中間情報を参照し、選択された参照コンテンツと対応する動画像ＵＲＬ、動画情報、説明情報、およびシリーズＩＤを取得する。そして、情報提供装置１０は、取得した動画像ＵＲＬを用いて動画像のデータを取得し、動画領域に配置して表示および再生させるための制御情報を生成する。すなわち、情報提供装置１０は、第１コンテンツとは異なるドメインから動画像を取得して表示させるための指示を含む第２コンテンツを配信する
【００３７】
また、情報提供装置１０は、動画情報および説明情報を情報領域および説明領域に配置した第２コンテンツを生成する。また、情報提供装置１０は、シリーズＩＤを用いて、動画像と同じシリーズに属する動画像を特定し、特定した動画像のサムネイルやタイトルをシリーズ領域に配置した第２コンテンツを生成する。そして、情報提供装置１０は、生成した第２コンテンツを利用者端末１００へと配信する。
【００３８】
ここで、情報提供装置１０は、利用者がいずれかの参照コンテンツを選択した場合は、選択された参照コンテンツが示す動画像の取得先と動画像の詳細を示す情報とを用いて、第１コンテンツと関連するレイアウトを有する第２コンテンツを生成する。例えば、情報提供装置１０は、情報配信サービスにおいて配信されるコンテンツと統一性を有するレイアウトの第２コンテンツを生成する。なお、第１コンテンツや第２コンテンツのレイアウトの一例については、後述する。
【００３９】
続いて、利用者端末１００は、第２コンテンツの配信を受付けると、制御情報に従って、動画像の配信要求を動画配信サーバ２００に送信する（ステップＳ９）。このような場合、動画配信サーバ２００は、動画像を利用者端末１００へと配信する（ステップＳ１０）。そして、利用者端末１００は、第２コンテンツを表示する（ステップＳ１１）。すなわち、利用者端末１００は、動画配信サービスに関するコンテンツを介して動画像を表示するのではなく、情報配信サービスに関する第２コンテンツを介して、動画配信サービスにより配信される動画像の再生を行う。
【００４０】
〔１−６．レイアウトの一例について〕
続いて、図２を用いて、情報提供装置１０が配信する第１コンテンツおよび第２コンテンツの一例について説明する。図２は、実施形態に係る情報提供装置が配信するコンテンツのレイアウトの一例を示す図である。図２に示す例では、情報提供装置１０が配信する第１コンテンツＣ１および第２コンテンツＣ２に加えて、第２コンテンツＣ２から遷移可能な第３コンテンツＣ３の一例について示した。
【００４１】
例えば、情報提供装置１０は、利用者端末１００から第１コンテンツの配信要求を受付けた場合、図２に例示する第１コンテンツＣ１を生成して配信する。例えば、情報提供装置１０は、第１コンテンツＣ１として、ウェブ検索、電子商店街やオークションに出品された取引対象の検索、コンテンツの検索等といった各種の検索処理を実行するために利用者から検索クエリを受付けるための検索窓ＳＷ１を有する第１コンテンツＣ１を生成する。すなわち、情報提供装置１０は、第１コンテンツとして、利用者から検索クエリを受付けるための検索コンテンツをさらに含む第１コンテンツを生成する。
【００４２】
また、情報提供装置１０は、ニュース等といった各種のコンテンツを示す参照コンテンツＳ１〜Ｓ５をタイムライン形式で並べた第１コンテンツＣ１を生成する。また、情報提供装置１０は、動画像に関する参照コンテンツＭ１をタイムライン形式で並べた第１コンテンツＣ１を生成する。なお、情報提供装置１０は、例えば、情報配信サービスに関する各種のロゴや、情報配信サービスと関連する他のサービスのポータルとなるウェブコンテンツへのリンクが設定されたコンテンツ等を第１コンテンツＣ１内に配置してもよい。
【００４３】
そして、情報提供装置１０は、第１コンテンツＣ１を、情報配信サービスと関連するドメインの第１階層に属するコンテンツとして配信する。例えば、情報提供装置１０は、第１コンテンツＣ１を、「http://www.domein1.com/first-layer」といったＵＲＬにより取得可能なコンテンツとして配信する。
【００４４】
ここで、情報提供装置１０は、参照コンテンツＭ１に対し、図２に示す第２コンテンツＣ２へのリンクを設定する。例えば、情報提供装置１０は、第１コンテンツＣ１と同じドメインであって、第１コンテンツＣ１の下位の第２階層に属するＵＲＬ「http://www.domein1.com/first-layer/second-layer-1」をリンク先として参照コンテンツＭ１に設定する。そして、情報提供装置１０は、利用者が参照コンテンツＭ１を選択した場合は、第１コンテンツＣ１と同じドメインであって、第１コンテンツよりも下位の第２階層に属するコンテンツとして、第２コンテンツＣ２を生成および配信する。
【００４５】
例えば、情報提供装置１０は、第１コンテンツＣ１と同様に、検索窓ＳＷ１を含む第２コンテンツＣ２を生成する。すなわち、情報提供装置１０は、第１コンテンツＣ１と同様のサービスに属するコンテンツとして第２コンテンツＣ２を生成する。また、情報提供装置１０は、参照コンテンツＭ１と対応する動画像を配置して表示するための動画領域ＭＡ１を含む第２コンテンツＣ２を生成する。なお、図２に示す例では、動画領域ＭＡ１には、参照コンテンツＭ１と対応する動画像が配置されているが、このような動画像は、コンテンツＣ２の配信を受付けた利用者端末１００により動画配信サーバ２００から取得され、動画領域ＭＡ１内に配置して表示されることとなる。
【００４６】
また、情報提供装置１０は、参照コンテンツＭ１と対応する動画像のタイトル等といった動画情報を情報領域ＭＴ１に配置するとともに、参照コンテンツＭ１の各種説明を説明領域ＭＤ１に配置した第２コンテンツＣ２を生成する。また、情報提供装置１０は、参照コンテンツＭ１と対応する動画像と同じシリーズに属する他の動画像のサムネイルやタイトルをシリーズ領域ＳＭ１に配置した第２コンテンツＣ２を生成する。なお、情報提供装置１０は、シリーズ領域ＳＭ１内に任意の数のサムネイルやタイトルを配置してもよく、初期状態において所定の数のサムネイルやタイトルを表示し、利用者の操作に応じてシリーズ領域ＳＭ１を拡張し、より多くのサムネイルやタイトルを表示可能な第２コンテンツＣ２を生成してもよい。
【００４７】
また、情報提供装置１０は、動画像と所定の関係性を有する情報であって、第１コンテンツと同じドメインのコンテンツを示す情報をさらに含む第２コンテンツを配信する。例えば、情報提供装置１０は、第１コンテンツＣ１と同じドメインを介して提供されるコンテンツであって、参照コンテンツＭ１と対応する動画像と関連するニュース等の関連記事＃１を特定する。例えば、情報提供装置１０は、第２コンテンツＣ２と同様に第２階層に属するコンテンツの中から関連記事＃１を特定する。そして、情報提供装置１０は、特定した関連記事＃１のサムネイル等を関連記事領域ＡＣ１に配置した第２コンテンツを生成する。
【００４８】
また、情報提供装置１０は、動画像と所定の関係性を有する情報であって、第１コンテンツと同じドメインのコンテンツを示す参照コンテンツをさらに含む第２コンテンツを配信する。例えば、情報提供装置１０は、第１コンテンツＣ１内に配置される参照コンテンツの中から、動画像と関連性を有する参照コンテンツを検索する。なお、情報提供装置１０は、第２コンテンツＣ２の配信先となる利用者の各種属性を考慮して、参照コンテンツを検索してもよい。そして、情報提供装置１０は、検索した参照コンテンツＣ６、Ｓ７を配置した第２コンテンツを生成する。
【００４９】
ここで、情報提供装置１０は、シリーズ動画のサムネイル、関連記事のサムネイル若しくは各種参照コンテンツに対し、第１コンテンツと同じドメインであって、第２コンテンツと同じ第２階層に属するＵＲＬを設定する。そして、情報提供装置１０は、利用者がシリーズ動画のサムネイル、関連記事のサムネイル若しくは各種参照コンテンツを選択した場合は、第１コンテンツと同じドメインであって、第２コンテンツと同じ第２階層に属するＵＲＬを介して、各種の情報を配信する。
【００５０】
例えば、情報提供装置１０は、シリーズ動画のサムネイルに対し、図２に示す第３コンテンツＣ３へのリンクを設定する。例えば、情報提供装置１０は、第１コンテンツＣ１と同じドメインであって、第２コンテンツＣ２と同じ第２階層に属するＵＲＬ「http://www.domein1.com/first-layer/second-layer-2」をリンク先としてシリーズ動画のサムネイルに設定する。そして、情報提供装置１０は、利用者が第２コンテンツＣ２に含まれるシリーズ動画のサムネイルを選択した場合は、第１コンテンツと同じドメインであって、第２コンテンツと同じ第２階層に属するコンテンツとして、第３コンテンツＣ３を生成および配信する。
【００５１】
例えば、情報提供装置１０は、図２に示すように、検索窓ＳＷ１、動画領域ＭＡ２、情報領域ＭＴ２、説明領域ＭＤ２、シリーズ領域ＳＭ２、関連記事領域ＡＣ２を含み、利用者が選択したサムネイルと関連する動画像と対応する各種の情報が配置された第３コンテンツＣ３を生成する。また、情報提供装置１０は、第２コンテンツＣ２と同様に、利用者が選択したサムネイルと関連する動画像と関連性を有する参照コンテンツＳ８、Ｓ９を含む第３コンテンツＣ３を生成する。なお、情報提供装置１０は、第２コンテンツＣ２と同様に、動画配信サーバ２００等から受けつけた中間情報を用いて、第３コンテンツＣ３を生成する。そして、情報提供装置１０は、生成した第３コンテンツＣ３を配信する。
【００５２】
このように、情報提供装置１０は、第１コンテンツＣ１として、第１コンテンツＣ１と同じドメインへのリンクが設定された参照コンテンツが配置されたコンテンツを提供する。そして、情報提供装置１０は、第１コンテンツＣ１と同じドメインへのリンクが設定された参照コンテンツが選択された場合は、選択された参照コンテンツが示すコンテンツの詳細を示す情報を含む第２コンテンツＣ２を配信する。すなわち、情報提供装置１０は、第１コンテンツＣ１と同じドメインの第２コンテンツＣ２を配信する。
【００５３】
このような処理を実行した場合、情報提供装置１０は、利用者を第１コンテンツと同じドメインであって、第１コンテンツの下位に属する第２階層内を回遊させることができる。例えば、情報提供装置１０は、第１コンテンツＣ１を閲覧した利用者が動画像に対して興味を有した場合、動画配信サーバ２００が提供する動画配信サービスではなく、第１コンテンツＣ１と同様に情報配信サービスに属するコンテンツである第２コンテンツＣ２を介して、動画像を提供することができる。また、情報提供装置１０は、利用者が興味を有した動画像のみならず、その動画像に対応する各種の情報を利用者に対して提供することができる。
【００５４】
さらに、情報提供装置１０は、利用者が第２コンテンツＣ２内の情報に対して興味を有した場合、第２コンテンツＣ２と同じドメインであって、第２コンテンツＣ２と同じ第２階層に属する第３コンテンツＣ３を介して、各種の情報を提供することができる。このような処理の結果、情報提供装置１０は、情報配信サービスにおける第２階層に属するコンテンツを繰り返し利用者に提供することができる。また、情報提供装置１０は、同一のサービスに属するコンテンツを提供し続けることができるので、利用者に対し、適切な対応で情報を提供することができる。
【００５５】
〔１−７．動画像の提供態様について〕
ここで、情報提供装置１０は、第１コンテンツＣ１と第２コンテンツＣ２とで、動画像の再生態様を連携させてもよい。例えば、情報提供装置１０は、利用者が参照コンテンツを選択する前に利用者端末１００が再生した再生位置から動画像の再生を開始させる指示を含む第２コンテンツＣ２を配信してもよい。
【００５６】
例えば、情報提供装置１０は、第１コンテンツＣ１内に、動画像のサムネイルであって、画面内までスクロールされた場合に、自動的に再生を開始するサムネイルを配置して配信する。そして、情報提供装置１０は、利用者がサムネイルを選択した場合は、サムネイルのうちどの範囲を再生したかを示す情報を利用者端末１００から受付ける。例えば、情報提供装置１０は、サムネイルの再生位置を示す情報を受付ける。このような場合、情報提供装置１０は、動画配信サーバ２００から動画像を取得するとともに、受付けた再生位置から再生を開始させるための制御情報を生成する。そして、情報提供装置１０は、第２コンテンツＣ２に生成した制御情報を付して配信する。この結果、利用者端末１００は、第２コンテンツＣ２を表示する際に、第１コンテンツＣ１において再生した範囲の続きから動画像の再生を開始することとなる。
【００５７】
〔１−８．第２階層のコンテンツについて〕
ここで、情報提供装置１０は、第２階層のコンテンツとして、第２コンテンツＣ２や第３コンテンツＣ３の配信を行った。ここで、情報提供装置１０は、上述した各種の情報以外にも、任意の情報を第２コンテンツＣ２や第３コンテンツＣ３に含めて配信してもよい。例えば、情報提供装置１０は、動画像と所定の関係性を有する取引対象を購入するための購入コンテンツへのリンクが設定された情報をさらに含む第２コンテンツＣ２や第３コンテンツＣ３を配信してもよい。例えば、情報提供装置１０は、動画像が映画の予告である場合、その映画を映画館で閲覧するためのチケットを販売するコンテンツへのリンクが設定された情報を、第２コンテンツＣ２や第３コンテンツＣ３に含めてもよい。
【００５８】
また、情報提供装置１０は、各種の広告に関する情報を第２コンテンツＣ２や第３コンテンツＣ３ないに配置して表示してもよい。すなわち、情報提供装置１０は、第２コンテンツＣ２や第２コンテンツＣ２内のリンクから遷移可能な第３コンテンツとして、第１コンテンツＣ１と同じドメインの第２階層に属するコンテンツを配信するのであれば、任意の情報を含むコンテンツを配信してよい。
【００５９】
〔１−９．レイアウトについて〕
ここで、情報提供装置１０は、利用者に対して第１コンテンツＣ１との関連性を想起させるレイアウトであれば、任意のレイアウトで情報が配置されたコンテンツを第２コンテンツＣ２や第３コンテンツＣ３として配信してよい。例えば、情報提供装置１０は、各コンテンツに対し、情報配信サービスに関するロゴを付して配信してもよく、情報配信サービスや第１コンテンツＣ１において設定されているテーマカラーを基調としたコンテンツを第２コンテンツや第３コンテンツＣ３として配信してもよい。
【００６０】
すなわち、情報提供装置１０は、上述した配信処理により、第１コンテンツＣ１とは異なるサービスを介して提供される動画像を、第１コンテンツＣ１と同じサービスを介して提供する。このため、情報提供装置１０は、動画像の提供態様と第１コンテンツＣ１における情報の提供態様との間に共通性を持たせることができる結果、利用者に対して適切な提供態様で動画像等の情報を提供することができる。
【００６１】
〔１−１０．動画像について〕
なお、情報提供装置１０は、動画像以外にも、任意の情報に関するコンテンツを第２コンテンツＣ２や第３コンテンツＣ３として配信してよい。例えば、情報提供装置１０は、天気予報やニュース、レストランの紹介記事といった情報を第２コンテンツＣ２や第３コンテンツＣ３として配信してよい。すなわち、情報提供装置１０は、第１コンテンツＣ１とは異なるサービスを介して提供される情報を第１コンテンツＣ１と同じサービスを介して提供するのであれば、任意の情報を第２コンテンツＣ２や第３コンテンツＣ３を介して提供して良い。換言すると、情報提供装置１０は、第１コンテンツＣ１とは異なるドメインを介して提供される情報であれば、任意の情報を、第１コンテンツＣ１と同じドメインであって、第１コンテンツＣ１の下位に属するコンテンツとして配信してよい。
【００６２】
〔２．情報提供装置の構成〕
以下、上記した情報提供装置１０が有する機能構成の一例について説明する。図３は、実施形態に係る情報提供装置の構成例を示す図である。図３に示すように、情報提供装置１０は、通信部２０、記憶部３０、および制御部４０を有する。
【００６３】
通信部２０は、例えば、ＮＩＣ（Network  Interface  Card）等によって実現される。そして、通信部２０は、ネットワークＮと有線または無線で接続され、利用者端末１００や動画配信サーバ２００との間で情報の送受信を行う。
【００６４】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、中間情報データベース３１、および参照情報データベース３２を記憶する。
【００６５】
中間情報データベース３１には、各種の中間情報が登録される。例えば、図４は、実施形態に係る中間情報データベースの一例を示す図である。図４に示す例では、中間情報データベース３１には、「参照コンテンツＩＤ」、「動画像ＵＲＬ」、「動画情報」、「説明情報」、および「シリーズＩＤ」といった情報が中間情報として登録される。なお、図４に示す情報以外にも、中間情報データベース３１には、例えば、動画像の関連記事や関連する参照コンテンツを示す情報等、第２コンテンツＣ２や第３コンテンツＣ３を生成するために用いられる動画像に関する任意の情報が登録されていてよい。
【００６６】
例えば、図４に示す例では、参照コンテンツＩＤ「ＳＩＤ＃１」、動画像ＵＲＬ「ＵＲＬ＃１」、動画情報「動画情報＃１」、説明情報「説明情報＃１」、およびシリーズＩＤ「シリーズ＃１」といった情報が対応付けて登録されている。このような情報は、参照コンテンツＩＤ「ＳＩＤ＃１」が示す参照コンテンツが、動画像ＵＲＬ「ＵＲＬ＃１」が示すＵＲＬを用いて取得可能な動画像であり、その動画像のタイトル等が動画情報「動画情報＃１」であり、動画像に関する説明が説明情報「説明情報＃１」である旨を示す。また、このような情報は、動画像がシリーズＩＤ「シリーズ＃１」が示すシリーズに属する動画像である旨を示す。
【００６７】
なお、図４に示す例では、「ＵＲＬ＃１」、「動画情報＃１」、「説明情報＃１」、「シリーズ＃１」といった概念的な値を記載したが、実際には、ＵＲＬを構成する文字列、動画像のタイトル等を示す文字列、動画像のストーリーなどを説明する文字列、シリーズを識別するための数値や文字列等が中間情報データベース３１に登録されることとなる。
【００６８】
図３に戻り、説明を続ける。参照情報データベース３２には、参照情報として配信される各種の情報が登録される。例えば、図５は、実施形態に係る参照情報データベースの一例を示す図である。図５に示す例では、参照情報データベース３２には、「参照コンテンツＩＤ」、「参照コンテンツ」、および「種別情報」といった情報が登録される。なお、図５に示す情報以外にも、参照情報データベース３２には、例えば、配信先となる利用者の属性等といった各種ターゲティングに用いられる情報等、参照コンテンツに関する任意の情報が登録されていてよい。
【００６９】
ここで、「種別情報」とは、例えば、参照コンテンツが動画像に関するコンテンツを示す情報であるか、ニュースに関するコンテンツを示す情報であるか等、参照コンテンツの種別を示す情報である。例えば、図５に示す例では、参照コンテンツＩＤ「ＳＩＤ＃１」、参照コンテンツ「参照コンテンツ＃１」、および種別情報「動画像」が対応付けて登録されている。このような情報は、参照コンテンツＩＤ「ＳＩＤ＃１」が示す参照コンテンツの各種データが参照コンテンツ「参照コンテンツ＃１」であり、関連するコンテンツ（すなわち、リンク先のコンテンツ）が「動画像」に関連するコンテンツである旨を示す。
【００７０】
なお、図５に示す例では、「参照コンテンツ＃１」といった概念的な値を記載したが、実際には、ニュース等に含まれる画像のサムネイルやニュースの内容と関連する画像、動画像のサムネイル、参照コンテンツとして表示される各種のテキスト等が登録されることとなる。
【００７１】
図２に戻って説明を続ける。制御部４０は、例えば、コントローラ（controller）であり、ＣＰＵ（Central  Processing  Unit）やＭＰＵ（Micro  Processing  Unit）等によって、情報提供装置１０内部の記憶装置に記憶されている各種プログラム（通知プログラムの一例に相当）がＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。
【００７２】
図３に示すように、制御部４０は、受付部４１、提供部４２、生成部４３、および配信部４４を有する。なお、制御部４０は、図３に示す各部４１〜４４以外にも、情報配信サービスに関する処理を実現するための機能構成を有していてもよい。例えば、制御部４０は、検索窓ＳＷ１を介した各種のウェブ検索を実現するための機能構成をさらに有していてもよい。
【００７３】
受付部４１は、中間情報の登録を受付ける。例えば、受付部４１は、動画配信サーバ２００から各種の中間情報を受付けると、受付けた中間情報を中間情報データベース３１に登録する。また、受付部４１は、中間情報を用いて、参照コンテンツを生成し、生成した参照コンテンツを参照情報データベース３２に登録する。なお、受付部４１は、参照コンテンツを生成した際に、一意な参照コンテンツＩＤを生成した参照コンテンツおよび対応する中間情報に付与してもよい。
【００７４】
提供部４２は、それぞれ異なる情報を示す複数の参照コンテンツが配置された第１コンテンツを提供する。また、提供部４２は、第１コンテンツとして、利用者から検索クエリを受付けるための検索コンテンツをさらに含む第１コンテンツを提供する。例えば、提供部４２は、ウェブ検索等を行うための検索クエリを受付ける検索窓ＳＷ１が配置された第１コンテンツを配信する。
【００７５】
例えば、提供部４２は、利用者端末１００から第１コンテンツの配信要求を受付けた場合は、参照情報データベース３２を参照し、配信対象とする参照コンテンツを決定する。より具体的な例を挙げると、提供部４２は、利用者の各種属性や検索履歴、購買履歴等に応じて、配信対象とする参照コンテンツを決定する。そして、提供部４２は、決定した参照コンテンツをタイムライン形式で並べて表示する第１コンテンツを生成し、生成した第１コンテンツを利用者端末１００へと配信する。
【００７６】
ここで、提供部４２は、提供先となる端末装置（すなわち、利用者端末１００）が表示した際に再生を開始する動画像を含む参照コンテンツが配置された第１コンテンツを提供する。例えば、提供部４２は、配信対象となる参照コンテンツの種別が「動画像」である場合、参照コンテンツの表示位置に基づいて参照コンテンツが表示されているか否かを判定し、参照コンテンツが表示されている場合に、参照コンテンツに含まれる動画像（すなわち、参照コンテンツと対応する動画像のサムネイル）を自動的に再生させるための制御情報を生成する。そして、提供部４２は、動画像を含む参照コンテンツと共に制御情報を配信する。
【００７７】
また、提供部４２は、第１コンテンツとして、第１コンテンツと同じドメインへのリンクが設定された参照コンテンツが配置されたコンテンツを提供する。例えば、提供部４２は、各参照コンテンツに対し、リンク先として、第１コンテンツと同じドメインであって、第１コンテンツが属する第１階層よりも下位の第２階層に属するＵＲＬを設定する。
【００７８】
なお、提供部４２は、参照コンテンツが動画像を示す参照コンテンツである場合にのみ、第２階層に属するＵＲＬを設定してもよい。例えば、提供部４２は、参照コンテンツが情報提供サービスとは異なるサービスを介して提供されるコンテンツ（例えば、天気予報やニュース等）を示す場合参照コンテンツについては、情報提供サービスとは異なるサービスへのリンクを設定してもよい。一方、提供部４２は、参照コンテンツが動画配信サービスを介して提供される動画像を示す場合は、第１コンテンツと同じドメインの第２階層のＵＲＬをリンク先として設定してもよい。
【００７９】
ここで、情報提供装置１０は、利用者端末１００がタイムライン形式で参照コンテンツを表示する場合、閲覧状況等に応じて、参照コンテンツを順次配信する場合がある。このような場合、提供部４２は、各参照コンテンツを表示する優先度を算出し、算出した優先度が高い順に、参照コンテンツを逐次利用者端末１００へと配信することとなる。この際、提供部４２は、配信対象となる参照コンテンツが動画像を示す参照コンテンツである場合に、自動再生を行わせるための制御情報等を合わせて配信してもよい。
【００８０】
また、提供部４２は、参照コンテンツに含まれる動画像を自動再生させるための制御情報をあらかじめ配信してもよい。例えば、提供部４２は、参照コンテンツを含まない第１コンテンツを生成する。また、提供部４２は、参照コンテンツを情報提供装置１０から取得し、取得した参照コンテンツを第１コンテンツ内に配置して表示するとともに、動画像の自動再生を行わせるための制御情報を生成する。そして、提供部４２は、生成した第１コンテンツと制御情報とを合わせて配信してもよい。
【００８１】
生成部４３は、利用者がいずれかの参照コンテンツを選択した場合は、選択された参照コンテンツが示す動画像の取得先と動画像の詳細を示す情報とを用いて、第１コンテンツと関連するレイアウトを有する第２コンテンツを生成する。例えば、提供部４２は、配信した参照コンテンツの参照コンテンツＩＤと、その参照コンテンツに対して設定したＵＲＬとを生成部４３に予め通知する。そして、生成部４３は、利用者端末１００からＵＲＬを受付けた場合は、受付けたＵＲＬと対応する参照コンテンツＩＤを特定し、中間情報データベース３１から、特定した参照コンテンツＩＤが付与された中間情報を読み出す。
【００８２】
そして、生成部４３は、読み出した中間情報を用いて、第１コンテンツと同じドメインに属する第２コンテンツを生成する。例えば、生成部４３は、図２に例示するように、動画像とともに動画像の詳細を示す情報が配置された第２コンテンツＣ２を生成する。例えば、生成部４３は、動画像の詳細を示す情報が配置された第２コンテンツＣ２と共に、動画像を動画配信サーバ２００から取得して第２コンテンツＣ２内に配置して再生させるための制御情報を生成する。
【００８３】
なお、生成部４３は、第１コンテンツＣ１と同様に、検索窓ＳＷ１を第２コンテンツＣ２の上端に配置することで、第１コンテンツＣ１と共通するレイアウトの第２コンテンツＣ２を生成してもよい。また、生成部４３は、テーマカラーが第１コンテンツＣ１と共通する第２コンテンツＣ２を生成してもよい。すなわち、生成部４３は、第１コンテンツＣ１を閲覧していた利用者が、同じドメインに属するコンテンツを閲覧していることを認識可能な程度に、第１コンテンツＣ１と表示態様が共通する第２コンテンツＣ２を生成する。
【００８４】
配信部４４は、利用者がいずれかの参照コンテンツを選択した場合は、選択された参照コンテンツが示すコンテンツの詳細を示す情報を含む第２コンテンツを、第１コンテンツと同じドメインのコンテンツとして配信する。例えば、配信部４４は、生成部４３により生成された第２コンテンツＣ２と制御情報とを利用者端末１００へと配信する。
【００８５】
すなわち、配信部４４は、利用者が動画像に関する参照コンテンツを選択した場合に、参照コンテンツが示す動画像と、動画像の詳細を示すテキストとを含む第２コンテンツを配信することとなる。また、配信部４４は、第１コンテンツとは異なるドメインから動画像を取得して表示させるための指示と、テキストとを含む第２コンテンツを配信することとなる。また、配信部４４は、第２コンテンツとして、第１コンテンツと同じ検索コンテンツをさらに含む第２コンテンツを配信することとなる。
【００８６】
また、配信部４４は、第１コンテンツと同じドメインへのリンクが設定された参照コンテンツが選択された場合は、参照コンテンツが示すコンテンツの詳細を示す情報を含む第２コンテンツを配信することとなる。また、配信部４４は、第２コンテンツとして、第１コンテンツと同じドメインのうち、第１コンテンツが属する階層の下位の階層に属するコンテンツを配信することとなる。
【００８７】
なお、配信部４４は、利用者が前記参照コンテンツを選択する前に利用者端末１００が再生した再生位置から動画像の再生を開始させる指示とともに第２コンテンツを配信してもよい。例えば、生成部４３は、利用者が選択した参照コンテンツにリンク先として設定されたＵＲＬとともに、参照コンテンツに含まれる動画像のうちどの再生位置まで利用者端末１００が再生したかを示す再生位置情報とを受付ける。このような場合、生成部４３は、動画配信サーバ２００から動画像を取得し、再生位置情報が示す再生位置の続きから動画像の再生を開始させるための制御情報を生成する。この結果、配信部４４は、第２コンテンツと共に制御情報を配信することで、再生位置情報が示す再生位置の続きから動画像を再生させる第２コンテンツを配信することとなる。
【００８８】
また、配信部４４は、動画像と所定の関連性を有する動画像であって、第１コンテンツと同じドメインのコンテンツを介して提供される動画像を示す情報をさらに含む第２コンテンツを配信してもよい。例えば、生成部４３は、中間情報データベース３１を参照し、選択された参照コンテンツと同じシリーズに属する動画像を特定する。そして、生成部４３は、特定した動画像のサムネイルやタイトルをシリーズ領域ＳＭ１に配置した第２コンテンツＣ２を生成する。そして、配信部４４は、生成部４３により生成された第２コンテンツＣ２を配信する。
【００８９】
また、配信部４４は、動画像と所定の関係性を有する情報であって、第１コンテンツと同じドメインのコンテンツを示す情報をさらに含む第２コンテンツを配信してもよい。例えば、生成部４３は、第１コンテンツと同じドメインのコンテンツの中から、第２コンテンツＣ２内に配置して表示する第２コンテンツと関連性を有するコンテンツを特定し、特定したコンテンツへのリンクが設定されたサムネイルを関連記事として第２コンテンツＣ２内に配置する。そして、配信部４４は、生成部４３により生成された第２コンテンツＣ２を配信する。
【００９０】
また、配信部４４は、動画像と所定の関係性を有する情報であって、第１コンテンツと同じドメインのコンテンツを示す参照コンテンツをさらに含む第２コンテンツを配信してもよい。例えば、生成部４３は、参照情報データベース３２を参照し、動画像と所定の関係性を有する参照コンテンツであって、第１コンテンツと同じドメインのコンテンツを特定する。また、生成部４３は、特定した参照コンテンツを配置した第２コンテンツＣ２を生成する。そして、配信部４４は、生成部４３により生成された第２コンテンツＣ２を配信する。
【００９１】
また、配信部４４は、動画像と所定の関係性を有する取引対象を購入するための購入コンテンツへのリンクが設定された情報をさらに含む第２コンテンツを配信してもよい。例えば、生成部４３は、電子商店街に関するサービスを提供する外部サーバ（図示は、省略）から、動画像と対応する取引対象を検索する。なお、生成部４３は、動画像のタイトル等といった各種の情報と対応する取引対象を検索してもよい。そして、生成部４３は、検索した取引対象を販売するコンテンツへのリンクが設定されたサムネイルを配置した第２コンテンツＣ２を生成する。なお、生成部４３は、予め動画像と対応付けて登録された購入コンテンツへのリンクが設定されたサムネイルを第２コンテンツＣ２内に配置してもよい。そして、配信部４４は、生成部４３により生成された第２コンテンツＣ２を配信する。
【００９２】
〔３．利用者端末の構成〕
続いて、上記した利用者端末１００が有する機能構成の一例について説明する。図６は、実施形態に係る情報提供装置の構成例を示す図である。図６に示すように、利用者端末１００は、通信部１１０と、入力部１２０と、出力部１３０と、物理センサ１４０と、制御部１５０とを有する。
【００９３】
通信部１１０は、例えば、ＮＩＣ等によって実現される。そして、通信部１１０は、ネットワークＮと有線または無線で接続され、情報提供装置１０や動画配信サーバ２００との間で情報の送受信を行う。
【００９４】
入力部１２０は、利用者から各種操作を受け付ける入力装置である。例えば、入力部１２０は、キーボードやマウスや操作キー等によって実現される。出力部１３０は、各種情報を表示するための表示装置であり、すなわち、画面である。例えば、出力部１３０は、液晶ディスプレイ等によって実現される。なお、利用者端末１００にタッチパネルが採用される場合には、入力部１２０と出力部１３０とは一体化される。また、以下の説明では、出力部１３０を画面と記載する場合がある。
【００９５】
物理センサ１４０は、利用者端末１００の物理的な状態を検知するセンサである。例えば、物理センサ１４０は、利用者端末１００の３軸方向の傾きを測定するジャイロセンサである。なお、物理センサ１４０は、ジャイロセンサに限定されるものではなく、例えば、加速度センサ、温度センサ、音量センサ、明度センサ等、任意のセンサが適用可能である。
【００９６】
制御部１５０は、例えば、ＣＰＵやＭＰＵ等によって、利用者端末１００内部の記憶装置に記憶されている各種プログラム（情報表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【００９７】
図６に示すように、制御部１５０は、要求部１５１と、操作制御部１５２と、表示処理部１５３とを有し、以下に説明する情報処理の機能や作用を実現または実行する。なお、制御部１５０の内部構成は、図６に示した構成に限られず、後述する情報処理を行う構成であれば他の構成であってもよい。また、制御部１５０が有する各処理部の接続関係は、図６に示した接続関係に限られず、他の接続関係であってもよい。
【００９８】
要求部１５１は、操作制御部１５２から第１コンテンツのＵＲＬを受付けた場合は、情報提供装置１０に対して受付けたＵＲＬが示す第１コンテンツの取得要求を送信する。また、要求部１５１あ、操作制御部１５２から第２コンテンツや第３コンテンツのＵＲＬを受付けた場合は、情報提供装置１０に対して受付けたＵＲＬが示す第２コンテンツや第３コンテンツの取得要求を送信する。
【００９９】
操作制御部１５２は、入力部１２０を介して受け付けた利用者の操作にしたがって、各種制御を実行する。例えば、操作制御部１５２は、利用者が入力部１２０に対して、スクロール操作やタップ操作等、第１コンテンツ、第２コンテンツ若しくは第３コンテンツに操作を行った場合は、入力部１２０を介して、利用者の操作の内容を取得する。そして、操作制御部１５２は、取得した操作の内容を表示処理部１５３に出力する。
【０１００】
表示処理部１５３は、受信したウェブページおよび広告コンテンツを出力部１３０に表示する。例えば、表示処理部１５３は、制御部１５０が、第１コンテンツ、第２コンテンツもしくは第３コンテンツ（以下、「各コンテンツ」と総称する場合がある。）とともに配信される制御情報を実行することで、図６に示すように、取得部１５４および表示部１５５として動作し、処理を実行する。取得部１５４および表示部１５５は、例えば、ＣＰＵやＭＰＵ等によって、制御情報がＲＡＭを作業領域として実行されることにより実現される。
【０１０１】
取得部１５４は、利用者が選択したコンテンツに対してリンク先として設定されたコンテンツを取得する。例えば、取得部１５４は、利用者が第１コンテンツ上でタップ操作を行った場合は、タップした画面上の位置と、第１コンテンツの表示位置とを比較することで、利用者が選択した参照コンテンツを特定する。そして、取得部１５４は、特定した参照コンテンツに対してリンク先として設定されたＵＲＬを、操作制御部１５２を介して要求部１５１に提供する。
【０１０２】
表示部１５５は、各コンテンツを表示する。例えば、表示部１５５は、それぞれ異なる情報を示す複数の参照コンテンツが配置された第１コンテンツを表示する。そして、例えば、表示部１５５は、利用者がいずれかの参照コンテンツを選択した場合は、参照コンテンツが示すコンテンツの詳細を示す情報を含むコンテンツであって、第１コンテンツと同じドメインの第２コンテンツを表示する。
【０１０３】
〔４．処理手順〕
次に、図７を用いて、実施形態に係る情報提供装置１０による提供処理の手順について説明する。図７は、実施形態に係る提供処理の流れの一例を示すフローチャートである。図７に示すように、情報提供装置１０は、参照コンテンツを並べた第１コンテンツを提供し（ステップＳ１０１）、動画像に関する参照コンテンツが選択されたか否かを判別する（ステップＳ１０２）。
【０１０４】
ここで、情報提供装置１０は、動画像に関する参照コンテンツが選択されていない場合は（ステップＳ１０２：Ｎｏ）、選択されるまで待機する。一方、情報提供装置１０は、動画像に関する参照コンテンツが選択された場合は（ステップＳ１０２：Ｙｅｓ）、動画像を取得する制御情報と、動画像の詳細を示す情報とを含む第２コンテンツを生成する（ステップＳ１０３）。そして、情報提供装置１０は、生成した第２コンテンツを第１コンテンツと同じドメインに属するコンテンツとして配信し（ステップＳ１０４）、処理を終了する。
【０１０５】
〔５．変形例〕
上述した情報提供装置１０は、上記実施形態以外にも種々の異なる形態にて実施されてもよい。そこで、以下では、情報提供装置１０の他の実施形態について説明する。
【０１０６】
〔５−１．情報提供装置について〕
上記実施形態では、電子商店街に関するサービスを提供する情報提供装置１０が、各コンテンツの生成および提供を行った。しかしながら、実施形態は、これに限定されるものではない。例えば、情報提供装置１０は、第１コンテンツ等、情報配信サービスのドメインにおける第１階層のコンテンツを配信する第１サーバ装置と、第２コンテンツや第３コンテンツ等、情報配信サービスのドメインにおける第２階層のコンテンツを配信する第２サーバ装置とが協調して動作することにより、上述した処理を実現してもよい。このような場合、第１サーバ装置は、提供部４２を有し、第２サーバ装置は、生成部４３や配信部４４を有することとなる。なお、記憶部３０に登録された中間情報データベース３１や参照情報データベース３２は、所定のストレージサーバが管理してもよい。
【０１０７】
〔５−２．その他〕
また、上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１０８】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０９】
また、上記してきた各実施形態は、処理内容を矛盾させない範囲で適宜組み合わせることが可能である。
【０１１０】
〔５−３．プログラム〕
また、上述した実施形態に係る情報提供装置１０は、例えば図８に示すような構成のコンピュータ１０００によって実現される。図８は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１１１】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現される。
【０１１２】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１１３】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１１４】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１１５】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１１６】
例えば、コンピュータ１０００が情報提供装置１０として機能する場合、コンピュータ１０００の演算装置１０３０は、一次記憶装置１０４０上にロードされたプログラムを実行することにより、制御部４０の機能を実現する。
【０１１７】
〔６．効果〕
上述してきたように、情報提供装置１０は、それぞれ異なる情報を示す複数の参照コンテンツが配置された第１コンテンツを提供する。そして、情報提供装置１０は、利用者がいずれかの参照コンテンツを選択した場合は、参照コンテンツが示すコンテンツの詳細を示す情報を含む第２コンテンツを、第１コンテンツと同じドメインのコンテンツとして配信する。このような処理の結果、情報提供装置１０は、情報の提供態様を保持しながら各種の情報を利用者に提供することができるので、利用者に対して適切な情報を提供することができる。また、情報提供装置１０は、利用者を同一ドメインに属するコンテンツ内で回遊させることができる。
【０１１８】
また、情報提供装置１０は、利用者が動画像に関する参照コンテンツを選択した場合は、参照コンテンツが示す動画像と、動画像の詳細を示すテキストとを含む第２コンテンツを配信する。このため、情報提供装置１０は、動画像を表示するだけではなく、動画像の詳細を示す情報を、適切な態様で利用者に提供することができる。
【０１１９】
また、情報提供装置１０は、提供先となる端末装置が表示した際に再生を開始する動画像を含む参照コンテンツが配置された第１コンテンツを提供し、動画像を含む参照コンテンツが選択された場合は、動画像と、動画像の詳細を示すテキストとを含む第２コンテンツを配信する。また、情報提供装置１０は、利用者が参照コンテンツを選択する前に端末装置が再生した再生位置から動画像の再生を開始させる指示とともに第２コンテンツを配信する。このため、情報提供装置１０は、適切な態様で動画像を利用者に提供することができる。
【０１２０】
また、情報提供装置１０は、動画像と所定の関連性を有する動画像であって、第１コンテンツと同じドメインのコンテンツを介して提供される動画像を示す情報をさらに含む第２コンテンツを配信する。また、情報提供装置１０は、動画像と所定の関係性を有する情報であって、第１コンテンツと同じドメインのコンテンツを示す情報をさらに含む第２コンテンツを配信する。また、情報提供装置１０は、動画像と所定の関係性を有する情報であって、第１コンテンツと同じドメインのコンテンツを示す参照コンテンツをさらに含む第２コンテンツを配信する。このため、情報提供装置１０は、第２コンテンツを閲覧した利用者を、同一ドメイン内のコンテンツへと誘導することができる。
【０１２１】
また、情報提供装置１０は、動画像と所定の関係性を有する取引対象を購入するための購入コンテンツへのリンクが設定された情報をさらに含む第２コンテンツを配信する。このため、情報提供装置１０は、利用者を動画像と関連する取引対象の購買へと誘導させることができる。
【０１２２】
また、情報提供装置１０は、第１コンテンツとは異なるドメインから動画像を取得して表示させるための指示とともに第２コンテンツを配信する。このため、情報提供装置１０は、例えば、情報配信サービスとは異なるドメインに属する動画像を、情報配信サービスのドメイン内で提供することができる。
【０１２３】
また、情報提供装置１０は、利用者がいずれかの参照コンテンツを選択した場合は、選択された参照コンテンツが示す動画像の取得先と動画像の詳細を示す情報とを用いて、第１コンテンツと関連するレイアウトを有する第２コンテンツを生成する。例えば、情報提供装置１０は、第１コンテンツとして、利用者から検索クエリを受付けるための検索コンテンツをさらに含む第１コンテンツを提供し、第２コンテンツとして、第１コンテンツと同じ検索コンテンツをさらに含む第２コンテンツを配信する。このため、情報提供装置１０は、利用者に適切な態様で情報を提供することができる。
【０１２４】
また、情報提供装置１０は、第１コンテンツとして、第１コンテンツと同じドメインへのリンクが設定された参照コンテンツが配置されたコンテンツを提供し、第１コンテンツと同じドメインへのリンクが設定された参照コンテンツが選択された場合は、参照コンテンツが示すコンテンツの詳細を示す情報を含む第２コンテンツを配信する。例えば、情報提供装置１０は、第２コンテンツとして、第１コンテンツと同じドメインのうち、第１コンテンツが属する階層の下位の階層に属するコンテンツを配信する。このため、情報提供装置１０は、利用者を同一ドメイン内で回遊させることができる。
【０１２５】
また、利用者端末１００は、それぞれ異なる情報を示す複数の参照コンテンツが配置された第１コンテンツを表示する。そして、利用者がいずれかの参照コンテンツを選択した場合は、参照コンテンツが示すコンテンツの詳細を示す情報を含むコンテンツであって、第１コンテンツと同じドメインの第２コンテンツを表示する。このため、利用者端末１００は、利用者に対して適切な情報提供を実現することができる。
【０１２６】
以上、本願の実施形態を図面に基づいて詳細に説明したが、これは例示であり、発明の開示の欄に記載の態様を始めとして、当業者の知識に基づいて種々の変形、改良を施した他の形態で本発明を実施することが可能である。
【０１２７】
また、上述してきた「部（section、module、unit）」は、「手段」や「回路」などに読み替えることができる。例えば、取得部は、取得手段や取得回路に読み替えることができる。
【符号の説明】
【０１２８】
１０  情報提供装置
２０  通信部
３０  記憶部
３１  中間情報データベース
３２  参照情報データベース
４０  制御部
４１  受付部
４２  提供部
４３  生成部
４４  配信部
１００  利用者端末
２００  動画配信サーバ
【図１】
2020088582.tif 000003
【図２】
2020088582.tif 000004
【図３】
2020088582.tif 000005
【図４】
2020088582.tif 000006
【図５】
2020088582.tif 000007
【図６】
2020088582.tif 000008
【図７】
2020088582.tif 000009
【図８】
2020088582.tif 000010
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
第１サービスに関するコンテンツとして、それぞれ異なる情報を示す複数の参照コンテンツが配置された第１コンテンツを提供する提供部と、
利用者が前記参照コンテンツのうち、前記第１サービスとは異なる第２サービスにおいて配信されるコンテンツを示す参照コンテンツを選択した場合は、当該参照コンテンツが示すコンテンツから生成されたコンテンツであって、前記第１コンテンツに含まれる当該コンテンツの情報よりも詳細な情報を含む第２コンテンツを、前記第１コンテンツの下位のドメインのコンテンツとして配信する配信部と
を有することを特徴とする提供装置。
【請求項２】
前記配信部は、前記利用者が動画像に関する参照コンテンツを選択した場合は、当該参照コンテンツが示す動画像と、当該動画像の詳細を示すテキストとを含む第２コンテンツを配信する
ことを特徴とする請求項１に記載の提供装置。
【請求項３】
前記提供部は、提供先となる端末装置が表示した際に再生を開始する動画像を含む参照コンテンツが配置された第１コンテンツを提供し、
前記配信部は、前記動画像を含む参照コンテンツが選択された場合は、当該動画像と、当該動画像の詳細を示すテキストとを含む第２コンテンツを配信する
ことを特徴とする請求項１または２に記載の提供装置。
【請求項４】
前記配信部は、前記利用者が前記参照コンテンツを選択する前に前記端末装置が再生した再生位置から前記動画像の再生を開始させる指示とともに第２コンテンツを配信する
ことを特徴とする請求項３に記載の提供装置。
【請求項５】
前記配信部は、前記動画像と所定の関連性を有する動画像であって、前記第１コンテンツと同じドメインのコンテンツを介して提供される動画像を示す情報をさらに含む第２コンテンツを配信する
ことを特徴とする請求項２〜４のうちいずれか１つに記載の提供装置。
【請求項６】
前記配信部は、前記動画像と所定の関係性を有する情報であって、前記第１コンテンツと同じドメインのコンテンツを示す情報をさらに含む第２コンテンツを配信する
ことを特徴とする請求項２〜５のうちいずれか１つに記載の提供装置。
【請求項７】
前記配信部は、前記動画像と所定の関係性を有する情報であって、前記第１コンテンツと同じドメインのコンテンツを示す参照コンテンツをさらに含む第２コンテンツを配信する
ことを特徴とする請求項２〜６のうちいずれか１つに記載の提供装置。
【請求項８】
前記配信部は、前記動画像と所定の関係性を有する取引対象を購入するための購入コンテンツへのリンクが設定された情報をさらに含む第２コンテンツを配信する
ことを特徴とする請求項２〜７のうちいずれか１つに記載の提供装置。
【請求項９】
前記配信部は、前記第１コンテンツとは異なるドメインから前記動画像を取得して表示させるための指示とともに前記第２コンテンツを配信する
ことを特徴とする請求項２〜８のうちいずれか１つに記載の提供装置。
【請求項１０】
前記利用者がいずれかの参照コンテンツを選択した場合は、選択された参照コンテンツが示す動画像の取得先と当該動画像の詳細を示す情報とを用いて、前記第１コンテンツと関連するレイアウトを有する第２コンテンツを生成する生成部
を有することを特徴とする請求項９に記載の提供装置。
【請求項１１】
前記提供部は、前記第１コンテンツとして、利用者から検索クエリを受付けるための検索コンテンツをさらに含む第１コンテンツを提供し、
前記配信部は、前記第２コンテンツとして、前記第１コンテンツと同じ前記検索コンテンツをさらに含む第２コンテンツを配信する
ことを特徴とする請求項１〜１０のうちいずれか１つに記載の提供装置。
【請求項１２】
前記提供部は、前記第１コンテンツとして、前記第１コンテンツと同じドメインへのリンクが設定された参照コンテンツが配置されたコンテンツを提供し、
前記配信部は、前記第１コンテンツと同じドメインへのリンクが設定された参照コンテンツが選択された場合は、当該参照コンテンツが示すコンテンツの詳細を示す情報を含む第２コンテンツを配信する
ことを特徴とする請求項１〜１１のうちいずれか１つに記載の提供装置。
【請求項１３】
提供装置が実行する提供方法であって、
第１サービスに関するコンテンツとして、それぞれ異なる情報を示す複数の参照コンテンツが配置された第１コンテンツを提供する提供工程と、
利用者が前記参照コンテンツのうち、前記第１サービスとは異なる第２サービスにおいて配信されるコンテンツを示す参照コンテンツを選択した場合は、当該参照コンテンツが示すコンテンツから生成されたコンテンツであって、前記第１コンテンツに含まれる当該コンテンツの情報よりも詳細な情報を含む第２コンテンツを、前記第１コンテンツの下位のドメインのコンテンツとして配信する配信工程と
を含むことを特徴とする提供方法。
【請求項１４】
第１サービスに関するコンテンツとして、それぞれ異なる情報を示す複数の参照コンテンツが配置された第１コンテンツを提供する提供手順と、
利用者が前記参照コンテンツのうち、前記第１サービスとは異なる第２サービスにおいて配信されるコンテンツを示す参照コンテンツを選択した場合は、当該参照コンテンツが示すコンテンツから生成されたコンテンツであって、前記第１コンテンツに含まれる当該コンテンツの情報よりも詳細な情報を含む第２コンテンツを、前記第１コンテンツの下位のドメインのコンテンツとして配信する配信手順と
をコンピュータに実行させるための提供プログラム。
【請求項１５】
第１サービスに関するコンテンツとして、それぞれ異なる情報を示す複数の参照コンテンツが配置された第１コンテンツを表示する第１表示手順と、
利用者が前記参照コンテンツのうち、前記第１サービスとは異なる第２サービスにおいて配信されるコンテンツを示す参照コンテンツを選択した場合は、当該参照コンテンツが示すコンテンツから生成されたコンテンツであって、前記第１コンテンツに含まれる当該コンテンツの情報よりも詳細な情報を含む第２コンテンツを、前記第１コンテンツの下位のドメインのコンテンツとして表示する第２表示手順と
をコンピュータに実行させるための情報表示プログラム。
【請求項１６】
第１サービスに関するコンテンツとして、それぞれ異なる情報を示す複数の参照コンテンツが配置された第１コンテンツを表示する第１表示部と、
利用者が前記参照コンテンツのうち、前記第１サービスとは異なる第２サービスにおいて配信されるコンテンツを示す参照コンテンツを選択した場合は、当該参照コンテンツが示すコンテンツから生成されたコンテンツであって、前記第１コンテンツに含まれる当該コンテンツの情報よりも詳細な情報を含む第２コンテンツを、前記第１コンテンツの下位のドメインのコンテンツとして表示する第２表示部と
を有することを特徴とする情報表示装置。
【請求項１７】
情報表示装置が実行する情報表示方法であって、
第１サービスに関するコンテンツとして、それぞれ異なる情報を示す複数の参照コンテンツが配置された第１コンテンツを表示する第１表示工程と、
利用者が前記参照コンテンツのうち、前記第１サービスとは異なる第２サービスにおいて配信されるコンテンツを示す参照コンテンツを選択した場合は、当該参照コンテンツが示すコンテンツから生成されたコンテンツであって、前記第１コンテンツに含まれる当該コンテンツの情報よりも詳細な情報を含む第２コンテンツを、前記第１コンテンツの下位のドメインのコンテンツとして表示する第２表示工程と
を含むことを特徴とする情報表示方法。